(57)【要約】【課題】多画面機能とウェブブラウザ機能を搭載し、ウェブブラウザのページ遷移を視聴者の手を用いることなく行うことができるテレビジョン受信装置を提供する。【解決手段】このテレビジョン受信装置は、複数の映像ソースから受け取ったそれぞれの入力映像データと、通信手段を介して外部ウェブサイトからウェブブラウザによって取得した、入力映像データに関連するウェブページとを１つの表示手段上に多画面表示を行えるものであって、多画面表示中の画面からアクティブな画面（例えば、視聴者に指示された画面、映像ソースが変更になった画面、音声の出力されている入力映像データに対応する画面）を特定し、アクティブな画面に対応する入力映像データから関連情報を取得し、ウェブブラウザによって取得した、該関連情報に対応するウェブページを多画面表示させるブラウザ処理手段を備えたものである。【選択図】図３
2007318269.tif 000002
【特許請求の範囲】
【請求項１】
複数の映像ソースから受け取ったそれぞれの入力映像データと、通信手段を介して外部ウェブサイトからウェブブラウザによって取得した、前記入力映像データに関連するウェブページとを１つの表示手段上に多画面表示を行うテレビジョン受信装置において、前記多画面表示中の画面からアクティブな画面を特定し、前記アクティブな画面に対応する前記入力映像データから関連情報を取得し、前記ウェブブラウザによって取得した、該関連情報に対応するウェブページを多画面表示させるブラウザ処理手段を備えることを特徴とするテレビジョン受信装置。
【請求項２】
請求項１記載のテレビジョン受信装置において、前記アクティブな画面は、視聴者に指示された画面であることを特徴とするテレビジョン受信装置。
【請求項３】
請求項１記載のテレビジョン受信装置において、前記アクティブな画面は、前記映像ソースが変更になった画面であることを特徴とするテレビジョン受信装置。
【請求項４】
請求項１記載のテレビジョン受信装置において、前記アクティブな画面は、音声の出力されている入力映像データに対応する画面であることを特徴とするテレビジョン受信装置。
【請求項５】
請求項１乃至４のいずれかに記載のテレビジョン受信装置のブラウザ処理手段としてコンピュータを機能させるためのプログラム。
【請求項６】
コンピュータが読み取り可能な記録媒体であって、請求項５に記載のプログラムを記録したことを特徴とする記録媒体。
【発明の詳細な説明】
【技術分野】
【０００１】
本発明は、テレビジョン受信装置、プログラムおよび記録媒体に関し、特に、多画面機能を搭載し、ネットワークにアクセス可能なテレビジョン受信装置に関する。
【背景技術】
【０００２】
テレビ放送番組により商品を紹介して、その商品の購入申込を電話、ファクシミリやウェブページ等により受け付けるいわゆるテレビショッピングと呼ばれるテレビ放送番組が放送されている。このテレビショッピングの場合、購入申込先の電話番号やウェブページのＵＲＬ（Uniform Resource Locator）は、その番組の中でテレビ画面に表示情報として提供されることが多い。
【０００３】
視聴者は、購入申込先の電話番号やＵＲＬなどをメモ用紙に書き写して、電話をかけたり、ＵＲＬによりウェブページにアクセスして閲覧するようにしている。
しかしながら、テレビジョン受信装置においてＵＲＬを直接指定するには、通常リモコンのキーやボタン等によって入力しづらいフレーズを入力するため、この操作が視聴者にストレスを与える原因となっている。
【０００４】
しかし、メモ用紙を用意している間、書き写している間、あるいは、ＵＲＬを入力している間に表示が終了してしまう場合がある。また、ウェブブラウザに実装されていることが多い「お気に入り機能」などを用いて予め登録してあるＵＲＬを呼び出すものであっても、この問題点は解消されない。
このため、特許文献１や特許文献２の技術では、視聴者がＵＲＬを入力する手間を省くようにしている。
【０００５】
特許文献１の技術では、テレビ放送の映像の文字スーパーを文字認識し、認識結果が通信の相手先を特定する情報に応じて、相手先との間で通信を行うようにしている。例えば、認識結果がＵＲＬであるならば、ブラウザにそのＵＲＬを通知し、該当するウェブページを閲覧するようにしている。
【０００６】
また、特許文献２では、チャンネルで放送される番組と、その番組に関連したＵＲＬとを対応付けたデータベースサーバを公開しておき、視聴者が情報獲得ボタンを押したときに、このデータベースサーバに番組のチャンネルを通知し、このチャンネルと現在時刻とによりＵＲＬを取り出してテレビジョン受信装置に表示するようにしている。そして、視聴者は、表示されたＵＲＬの中から所望のＵＲＬを選択して番組に関する提供情報を閲覧することができる。
【０００７】
また、デジタル放送においては、番組の放映と一緒に、番組、俳優、選手や商品などに関する情報も番組情報として放送され、番組と同時に表示できるようになっている。この場合には、表示された番組情報の中から興味を持った情報を選択して、この情報に関連付けられているウェブページのＵＲＬを送信することにより、簡単な操作で所望の詳細な情報が記述されたウェブページへジャンプすることが可能になっている。
【特許文献１】特開２００２−４４５４４号公報
【特許文献２】特開２００３−１８５７５号公報
【発明の開示】
【発明が解決しようとする課題】
【０００８】
ところで、最近のテレビジョン受信装置には、多画面機能を搭載したものがあるが、上述したような従来の技術では、テレビの画面全部をウェブブラウザが用いることを想定したものであり、多画面機能を利用した時のことは考慮されていない。
このような多画面機能を搭載するテレビジョン受信装置において、ウェブページを自動的に立ち上げる場合には、放送している番組がどのようなときにどのような挙動をするかを考慮する必要性がある。
【０００９】
本発明は、上記のような事情を考慮してなされたものであって、多画面機能およびウェブブラウザ機能を搭載したテレビジョン受信装置において、画面の切り替え、アクティブチャンネル、番組の変更等のイベントにより、ウェブブラウザのページ遷移を視聴者の手を用いることなく行うことができるテレビジョン受信装置、プログラムおよび記録媒体を提供することを目的とする。
【課題を解決するための手段】
【００１０】
上記の課題を解決するために、本発明のテレビジョン受信装置は、複数の映像ソースからそれぞれの入力映像データを受け取り、また、通信手段を介して外部ウェブサイトからウェブブラウザによって取得したウェブページを受け取ることが可能であり、それぞれの前記入力映像データと前記ウェブページとを１つの表示手段上に多画面表示を行うことができる。
そして、このテレビジョン受信装置には、前記多画面表示中の画面からアクティブな画面（例えば、視聴者に指示された画面、前記映像ソースが変更になった画面、音声の出力されている入力映像データに対応する画面等）を特定し、前記アクティブな画面に対応する前記入力映像データから関連情報を取得し、前記ウェブブラウザによって取得した、該関連情報に対応するウェブページを多画面表示させるブラウザ処理手段を備えるようにして、ウェブブラウザのページ遷移を視聴者の手を用いることなく行うことができる。
【００１１】
また、上述した構成のテレビジョン受信装置のブラウザ処理手段として、コンピュータを機能させるためのプログラムを作成しておき、または、そのプログラムをコンピュータ読み取り可能な記録媒体に記録しておき、このプログラムをコンピュータで実行することによっても上記課題を解決することができる。
【発明の効果】
【００１２】
本発明によれば、多画面機能およびウェブブラウザ機能を搭載したテレビジョン受信装置において、画面の切り替え、アクティブチャンネル、番組の変更等のイベントにより、ウェブブラウザのページ遷移を視聴者の手を用いることなく行うことができる。
【発明を実施するための最良の形態】
【００１３】
以下、図面を参照して、本発明の実施形態について説明する。
図１は、本発明を適用するテレビジョン受信装置の利用形態を表す図であり、テレビジョン受信装置１００はインターネットなどのネットワーク１３０に接続しており、当該装置に内蔵されたウェブブラウザを用いて、ネットワーク１３０に接続されたウェブサーバから放送番組に関連した情報を取得して、放送番組とあわせて当該装置の画面に表示されるようになっている。
【００１４】
また、このテレビジョン受信装置１００は、図２に例示したように、複数の画面を同時に表示させることができ、複数の画面にそれぞれ異なるチューナにより受信した番組の映像や、外部端子から入力された映像を表示させたり、ウェブブラウザの出力画面を表示させることができる。なお、複数の画面を表示することを多画面表示といい、１画面のみを表示することを通常表示という。
この多画面表示の場合、画面の分割を必要に応じてテレビジョン受信装置側で自動的に行うようにしてもよいし、また、視聴者が予め２画面、３画面や４画面等のように固定的にしておくようなものであってもよい。また、画面とその画面への表示対象との対応付けもテレビジョン受信装置側で自動的に行うようにしてもよいし、視聴者が割り当てるものであってもよい。
【００１５】
図３は、本発明を適用するテレビジョン受信装置１００の一実施形態の構成を示すブロック図であり、同図において、テレビジョン受信装置１００は、制御部１０１、記憶部１０２、チューナ部１０３、分離部１０４、復号部１０５、音声処理部１０６、音声出力部１０７、画像処理部１０８、ＯＳＤ処理部１０９、表示部１１０、リモコンＩ／Ｆ部１１１、通信Ｉ／Ｆ部１１２、ブラウザ処理部１１３により構成される。
【００１６】
制御部１０１は、ＣＰＵ（Central Processing Unit）を備え、テレビジョン受信装置１００の全体の動作の制御、機能の調整等を実行するものであり、バスを介してチューナ部１０３、分離部１０４、復号部１０５、画像処理部１０８、ＯＳＤ処理部１０９に接続されている。
【００１７】
記憶部１０２は、揮発性メモリや不揮発性メモリからなり、不揮発性メモリには本装置の各種機能を実行するための各種アプリケーションプログラムの他、ＯＳＤ（On Screen Display）処理のための各種データ、チャンネル選局のためのデータ等が保存され、揮発性メモリはワークメモリとして使う。
【００１８】
チューナ部１０３は、複数のチューナにより構成され、それぞれ選局されたチャンネルの放送波を、アンテナを介して受信し、受信した放送波を復調し、さらに誤り訂正等の処理を施して、ＴＳ（Transport Stream）信号として、分離部１０４に供給する。
【００１９】
分離部１０４は、チューナ数に応じた数の分離部により構成され、ＴＳ（Transport Stream）信号を映像ストリーム、音声ストリーム、および、ＥＰＧ（Electronic Program Guide）情報に分離し、分離した映像ストリームおよび音声ストリームを復号部１０５に供給し、分離したＥＰＧ情報を制御部１０１へ供給する。
復号部１０５では、チューナ数に応じた数の復号部により構成され、音声ストリームを復号して非圧縮のデジタル音声データとして音声処理部１０６に出力すると共に、映像ストリームを復号して非圧縮のデジタル映像データとして画像処理部１０８に供給する。
【００２０】
音声処理部１０６は、復号部１０５から供給された音声データの中から、アクティブ（後述参照）なチャンネルの音声データを選択し、選択した音声データから生成されたアナログの音声信号を、スピーカやヘッドフォン等からなる音声出力部１０７から出力させる。
【００２１】
ＯＳＤ処理部１０９は、リモコン１２０の操作に応じて入力された操作入力信号に基づいて制御部１０１から供給されたメニュー画面やガイダンスなどのＯＳＤ表示の画像データを生成し、制御部１０１から指定された表示画面と生成された画像データとを画像処理部１０８に供給する。
【００２２】
画像処理部１０８は、表示情報テーブルを参照することによって、処理対象の映像データを表示すべき画面がなければ、既存の画面の配置やサイズを自動的に変更して新たな画面を生成し、表示情報テーブルを更新する。
その後、復号部１０５から供給された映像データやブラウザ処理部１１３から供給されたウェブページの内容を画面のサイズにあわせて解像度変換した画像データを生成し、それぞれの画像データを、各画面の配置位置にあわせて１画面の画像データに合成するとともに、ＯＳＤ処理部１０９から供給された画像データを指定された画面へ重畳し、ＬＣＤ（Liquid Crystal Display）やＰＤＰ（Plasma Display Panel）等からなる表示部１１０の特性にあわせて変換し、表示部１１０に出力させる。
【００２３】
ここで、表示状況テーブルは、表示部１１０を多画面に分割したときの各画面に関する情報を記憶しておくテーブルである。この表示状況テーブルには、分割した各画面に対して、次のようなデータを記憶する。
【００２４】
画面ＩＤ：分割した画面を識別するための識別子である。
入力情報：表示される画像がどこから入力された情報であるかを示し、チューナから放送波が入力された場合にはチャンネル番号であり、外部から入力された場合にはどの外部端子からの入力であるか、あるいは、ウェブブラウザからの場合にはウェブブラウザからの入力であるかを示す情報である。
画面位置：この画面が表示部１１０のどの位置に表示されるのかを示す座標位置である。
画面サイズ：この画面の大きさを表す寸法であり、例えば画素単位で表される。
フラグ：この画面がアクティブである（「真」）か否（「偽」）かを示す区分情報である。
【００２５】
上記のフラグは、次に例示するような場合に「真」が設定され、その他では「偽」が再設定される。
（１）視聴者に指示されて選局操作ができる画面。
（２）視聴者が選局操作したチャンネルに対応する画面や、再生指示を指定された外部記憶装置に対応する画面。
（３）映像の音が出ているチャンネルに対応する画面や、再生されて音が出ている外部記憶装置に対応する画面。
（４）装置側の実行に応じてアクティブとなったチャンネルや再生状態になった外部記憶装置に対応する画面。装置側の実行に応じてアクティブになるとは、スケジュールされていた番組が再生あるいは放送時間になった場合、あるいは、テレビ局側からのアクティブコールがあった場合が考えられる。
【００２６】
また、制御部１０１は、表示対象がなくなった場合には、その表示対象に対する画面を削除するように画像処理部１０８に依頼する。これにより、画像処理部１０８は、削除対象の画面に対する情報を表示情報テーブルから削除するとともに、空いた表示領域を利用するように画面配置やサイズを再計算して、表示部１１０をリフレッシュする。ここで、表示情報テーブル中の入力情報のデータ項目を削除するのみで、画面をリフレッシュしないものとしてもよい。
また、上述の表示情報テーブルを視聴者がリモコン１２０を操作して、予め画面分割して作成しておくようにしてもよい。
【００２７】
リモコンＩ／Ｆ部１１１は、リモコン１２０に設けられたキーやボタンを押下することにより発信した操作入力信号を受信して、制御部１０１へ送る。制御部１０１では、この操作入力信号に基づいて視聴者により指示された処理を行わせる。
通信Ｉ／Ｆ部１１２は、例えばモデムあるいはＥｔｈｅｒｎｅｔ（登録商標）による通信機能を有し、それによってネットワーク１３０に接続されたウェブサーバに接続可能になっている。
【００２８】
ところで、従来は、画面に表示された情報や、その情報に関連した商品についての情報を得るためには、視聴者がウェブブラウザを立ち上げて、情報を用いて検索エンジンによって検索を行うか、ＵＲＬ（Uniform Resource Locator）を入力または選択して、対応するウェブページを表示するようにしていた。
【００２９】
これでは、視聴者の操作負担がかかるため、本発明では、アクティブなチャンネルで放送された映像に関連したＵＲＬまたはそれに代わる情報が含まれている場合、自動的にウェブブラウザを立ち上げてウェブページを取得し、テレビジョン受信装置１００の画面へ表示するようにした。
また、通常表示の場合であれば、表示されている番組についてのウェブページを取得して表示すればよい。しかし、多画面表示の場合には、どの画面に表示された番組のウェブページを取得したらよいか、また、どの番組に対して表示されたか分からなくなる。
【００３０】
例えば、図４に例示したように、２つのチャンネルからの映像を２画面に表示しているときに、向かって左側の画面に表示されている映像（映像１）がアクティブの場合、この映像１に関連した情報（例えば、ＵＲＬやキーワード等）を取得して、ウェブブラウザでこの情報に対応するウェブページを取得して画面に表示させる。ウェブブラウザからの出力画像を表示する画面が既に存在するときには、取得したウェブページをこの画面に表示する。しかし、ウェブブラウザを表示する画面が存在しないときには、例えば、図４に例示したように画面を３分割して、そのうちの１つの画面に取得したウェブページを表示するようにする。
【００３１】
ブラウザ処理部１１３は、復号部１０５で復号された映像データや外部入力された映像データごとに制御部１０１から呼び出され、次の機能を実行する。
（１）この映像データがどこから入力された映像であるかにより、表示情報テーブルを参照して、フラグが「真」あるいは「偽」であるかを調べる。
（２）フラグが「偽」である場合は、この映像データがアクティブでないので、以降の処理を実行しない。
【００３２】
（３）一方、フラグが「真」である場合は、この映像データがアクティブであるので、この映像に関連した情報（例えば、ＵＲＬやキーワード等）を取得する。
この情報の取得方法は、公知の方法によるものでよく、例えば、放送波のよって送信された番組情報から取得してもよいし、放送番組を記録した記録機器からの映像の場合には、記録された番組情報などから得るようにしてもよい。
【００３３】
（４）次に、当該装置１００に内蔵されたウェブブラウザを立ち上げて、通信Ｉ／Ｆ部１１２を介して、上記の取得した情報（例えば、ＵＲＬやキーワード等）で示されるウェブサーバへアクセスする。
（５）ウェブサーバから送られてきたウェブページの内容を画像処理部１０８へ送る。
【００３４】
画像処理部１０８では、ブラウザ処理部１１３からウェブページの内容が送られてくると、表示情報テーブルを参照して、ウェブページを表示する画面が存在すれば、その画面へ送られてきたウェブページの内容を表示するようにする。しかし、ウェブページを表示する画面が存在しなければ、新たに画面分割を行って、ウェブページを表示する画面を生成して、表示情報テーブルを更新してから、その分割によって生成された画面へ送られてきたウェブページの内容を表示する。
【００３５】
例えば、図５のように、視聴者がリモコン１２０で選局操作によって、映像１の画面がアクティブになっている場合には、ウェブブラウザを表示している画面に、映像１に関連したＵＲＬのウェブページの内容が表示される。また、映像２の画面がアクティブの場合には、ウェブブラウザを表示している同じ画面に、映像２に関連したＵＲＬのウェブページの内容が表示される。
【００３６】
また、図６のように、映像２の音声が再生されてアクティブになっている場合には、ウェブブラウザを表示している画面に、映像２に関連したＵＲＬのウェブページの内容が表示される。また、同様に、映像１の音声が再生されてアクティブの場合には、ウェブブラウザを表示している同じ画面に、映像１に関連したＵＲＬのウェブページの内容が表示される。
【００３７】
従来では、番組の情報をもとに視聴者がＵＲＬを決めてウェブブラウザに指定して情報を得るようにしていたが、以上のように構成することによって、画面の切り替え、アクティブチャンネル、番組の変更等のイベントにより、ウェブブラウザのページ遷移を視聴者の手を用いることなく行うことができ、より多彩なウェブページの提供ができる。
【００３８】
なお、本発明の実施形態は、制御部１０１やブラウザ処理部１１３をコンピュータプログラム化し、このコンピュータプログラムを実行することでも実現され、このコンピュータプログラムを着脱可能な記録媒体に記録しておくことにより、移送が可能となり、独立した他のテレビジョン受信装置においても容易に実施することができる。
【図面の簡単な説明】
【００３９】
【図１】本発明を適用するテレビジョン受信装置の利用形態を表す図である。
【図２】テレビジョン受信装置の画面を多画面へ分割した例である。
【図３】本発明を適用するテレビジョン受信装置の一実施形態の構成を示すブロック図である。
【図４】２画面モードで映像を表示しているときに、アクティブな画面に対するウェブページを表示する例である。
【図５】選局可能な状態によりアクティブになった画面に対するウェブページを表示する例である。
【図６】音声の再生状態によりアクティブになった画面に対するウェブページを表示する例である。
【符号の説明】
【００４０】
１００…テレビジョン受信装置、１０１…制御部、１０２…記憶部、１０３…チューナ部、１０４…分離部、１０５…復号部、１０６…音声処理部、１０７…音声出力部、１０８…画像処理部、１０９…ＯＳＤ処理部、１１０…表示部、１１１…リモコンＩ／Ｆ部、１１２…通信Ｉ／Ｆ部、１１３…ブラウザ処理部、１２０…リモコン、１３０…ネットワーク。
【図１】
2007318269.tif 000003
【図２】
2007318269.tif 000004
【図３】
2007318269.tif 000005
【図４】
2007318269.tif 000006
【図５】
2007318269.tif 000007
【図６】
2007318269.tif 000008
【手続補正書】
【提出日】平成18年11月15日(2006.11.15)
【手続補正１】
【補正対象書類名】特許請求の範囲
【補正対象項目名】全文
【補正方法】変更
【補正の内容】
【特許請求の範囲】
【請求項１】
複数の映像ソースから受け取ったそれぞれの入力映像データと、通信手段を介して外部ウェブサイトからウェブブラウザによって取得した、前記入力映像データに関連するウェブページとを１つの表示手段上に多画面表示を行うテレビジョン受信装置において、前記多画面表示中の画面の中のアクティブな画面を自動的に特定し、前記アクティブな画面に対応する前記入力映像データから関連情報を取得して、前記関連情報に対応するウェブページへ前記ウェブブラウザでアクセスし、返信された該ウェブページを前記表示手段上に多画面表示させるブラウザ処理手段を備えることを特徴とするテレビジョン受信装置。
【請求項２】
請求項１記載のテレビジョン受信装置において、前記アクティブな画面は、視聴者に指示された画面であることを特徴とするテレビジョン受信装置。
【請求項３】
請求項１記載のテレビジョン受信装置において、前記アクティブな画面は、前記映像ソースが変更になった画面であることを特徴とするテレビジョン受信装置。
【請求項４】
請求項１記載のテレビジョン受信装置において、前記アクティブな画面は、音声の出力されている前記入力映像データに対応する画面であることを特徴とするテレビジョン受信装置。
【請求項５】
請求項１乃至４のいずれかに記載のテレビジョン受信装置のブラウザ処理手段としてコンピュータを機能させるためのプログラム。
【請求項６】
コンピュータが読み取り可能な記録媒体であって、請求項５に記載のプログラムを記録したことを特徴とする記録媒体。
【手続補正２】
【補正対象書類名】明細書
【補正対象項目名】００１０
【補正方法】変更
【補正の内容】
【００１０】
上記の課題を解決するために、本発明のテレビジョン受信装置は、複数の映像ソースからそれぞれの入力映像データを受け取り、また、通信手段を介して外部ウェブサイトからウェブブラウザによって取得したウェブページを受け取ることが可能であり、それぞれの前記入力映像データと前記ウェブページとを１つの表示手段上に多画面表示を行うことができる。
そして、このテレビジョン受信装置には、前記多画面表示中の画面からアクティブな画面（例えば、視聴者に指示された画面、前記映像ソースが変更になった画面、音声の出力されている入力映像データに対応する画面等）を自動的に特定し、前記アクティブな画面に対応する前記入力映像データから関連情報を取得して、前記関連情報に対応するウェブページへ前記ウェブブラウザでアクセスし、返信された該ウェブページを前記表示手段上に多画面表示させるブラウザ処理手段を備えるようにして、ウェブブラウザのページ遷移を視聴者の手を用いることなく行うことができる。
【手続補正書】
【提出日】平成19年5月22日(2007.5.22)
【手続補正１】
【補正対象書類名】特許請求の範囲
【補正対象項目名】全文
【補正方法】変更
【補正の内容】
【特許請求の範囲】
【請求項１】
複数の映像ソースから受け取ったそれぞれの入力映像データと、通信手段を介して外部ウェブサイトからウェブブラウザによって取得した、前記入力映像データに関連するウェブページとを１つの表示手段上に多画面表示を行う多画面表示手段を有するテレビジョン受信装置において、前記多画面表示された各画面に対して前記入力映像データのいずれかを対応させるとともに、各画面がアクティブであるか否かを管理する制御手段と、前記制御手段により、前記入力映像データがアクティブな画面に対する入力映像データであると判断した場合、前記入力映像データから関連情報を取得して、前記ウェブブラウザを立ち上げ、前記関連情報に対応するウェブページへ前記ウェブブラウザでアクセスさせ、返信された前記ウェブページを前記多画面表示手段により多画面表示させるブラウザ処理手段と、を備えることを特徴とするテレビジョン受信装置。
【請求項２】
請求項１記載のテレビジョン受信装置において、前記アクティブな画面は、視聴者に指示された画面であることを特徴とするテレビジョン受信装置。
【請求項３】
請求項１記載のテレビジョン受信装置において、前記アクティブな画面は、前記映像ソースが変更になった画面であることを特徴とするテレビジョン受信装置。
【請求項４】
請求項１記載のテレビジョン受信装置において、前記アクティブな画面は、音声の出力されている前記入力映像データに対応する画面であることを特徴とするテレビジョン受信装置。
【請求項５】
請求項１乃至４のいずれかに記載のテレビジョン受信装置のブラウザ処理手段としてコンピュータを機能させるためのプログラム。
【請求項６】
コンピュータが読み取り可能な記録媒体であって、請求項５に記載のプログラムを記録したことを特徴とする記録媒体。
【手続補正２】
【補正対象書類名】明細書
【補正対象項目名】００１０
【補正方法】変更
【補正の内容】
【００１０】
上記の課題を解決するために、本発明のテレビジョン受信装置は、複数の映像ソースからそれぞれの入力映像データを受け取り、また、通信手段を介して外部ウェブサイトからウェブブラウザによって取得した、前記入力映像データに関連するウェブページを受け取ることが可能であり、それぞれの前記入力映像データと前記ウェブページとを、多画面表示手段により１つの表示手段上に多画面表示を行うことができる。
そして、このテレビジョン受信装置には、前記多画面表示された各画面に対して前記入力映像データのいずれかを対応させるとともに、各画面がアクティブであるか否かを管理する制御手段と、前記制御手段により、前記入力映像データがアクティブな画面（例えば、視聴者に指示された画面、前記映像ソースが変更になった画面、音声の出力されている入力映像データに対応する画面等）に対する入力映像データであると判断した場合、前記入力映像データから関連情報を取得して、前記ウェブブラウザを立ち上げ、前記関連情報に対応するウェブページへ前記ウェブブラウザでアクセスさせ、返信された前記ウェブページを前記多画面表示手段により多画面表示させるブラウザ処理手段と、を備えるようにして、ウェブブラウザのページ遷移を視聴者の手を用いることなく行うことができる。